(57)【特許請求の範囲】
【請求項１】
電池と、
前記電池を収納し、表面に凹み部が形成されたケースと、
前記電池から前記ケースの外部へ電流を供給するとともに、前記ケースの凹み部にまで端部が到達可能なリード線と、
前記リード線の端部に接続されたコネクタとを備える、電池パック。
【請求項２】
前記ケースには、前記凹み部とは異なる位置に他の凹み部が形成されている、請求項１に記載の電池パック。
【請求項３】
前記ケースは、前記凹み部が形成された一方端部と、この一方端部とは反対側に位置し、前記他の凹み部が形成された他方端部とを含む、請求項２に記載の電池パック。
【請求項４】
前記凹み部と他の凹み部とは前記ケースの端部に対向して形成されている、請求項２に記載の電池パック。
【請求項５】
請求項１〜４のいずれか１項に記載の電池パックを用いた携帯機器。
【請求項６】
電池パックと、
前記電池パックと対向して配置され、前記電池パックから電流を供給されるための受電コネクタとを備える携帯機器であって、
前記電池パックの表面には、前記受電コネクタと対向する領域において凹み部が形成され、さらに、
前記電池パックは、前記電池パックから前記携帯機器へ電流を供給するためのリード線と、前記リード線の端部に接続されたコネクタとを含み、
前記受電コネクタには前記コネクタが接続される、携帯機器。
【請求項７】
前記電池パックを収納する収納部を含む筐体と、
前記収納部に収納された電池パックを覆うように配置され、前記筐体と接続される蓋体とをさらに備え、
前記筐体と前記蓋体との接続部に対向する領域において、前記電池パックの表面には他の凹み部が形成されている、請求項６に記載の携帯機器。
【請求項８】
前記電池パックは、前記凹み部が形成された一方端部と、この一方端部とは反対側に位置し、前記他の凹み部が形成された他方端部とを含む、請求項７に記載の携帯機器。
【請求項９】
前記凹み部と他の凹み部とは前記電池パックの端部に対向して形成されている、請求項７に記載の携帯機器。
【発明の詳細な説明】
【０００１】
【発明の属する技術分野】
この発明は、電池パックおよび携帯機器に関し、より特定的には、携帯機器の薄型化を可能とする電池パックおよびその電池パックを用いた携帯機器に関する。
【０００２】
【従来の技術】
近年、電子機器、特に携帯電話機や個人情報端末あるいは通信機能を備えたノート型パソコンなどの携帯機器が急速に普及してきている。図１６は、従来の携帯機器の例としての携帯電話機を示す断面模式図である。図１７は、図１６に示した携帯電話機の分解組立斜視図である。図１６および１７を参照して、携帯電話機を説明する。
【０００３】
図１６および１７を参照して、携帯電話機１２７は、前部筐体１３０と基板１０１と後部筐体１０５と電池パック１０３と電池部カバー部材１０４とを備える。前部筐体１３０と後部筐体１０５とは、基板１０１を内部に保持するようにねじ１３２により固定されている。後部筐体１０５の所定の位置にはキャップジャック１３１が配置されている。後部筐体１０５には電池パック１０３を収納するための凹部が形成されている。この凹部に電池パック１０３が収納されている。電池パック１０３上には、電池部カバー部材１０４が配置されている。電池部カバー部材は、凸部１３３を後部筐体１０５のカバー取付部１０６に形成された開口部に嵌め込むことにより固定されている。
【０００４】
図１８は、図１６に示した携帯電話機の部分断面模式図である。電池パック１０３は、図１８に示すように、電池１０７と、給電端子部材１０８と、この給電端子部材１０８上に形成された電極（図示せず）に電池１０７から電流を供給するための接続線１０９と、パック外装部材１２８とを含む。ここで、図１８を参照して、電池パック１０３では、パック外装部材１２８の内部に電池１０７が収納されている。また、パック外装部材１２８の所定領域には開口部が形成されている。この開口部には給電端子部材１０８が配置されている。給電端子部材１０８には、開口部から露出するように電極が形成されている。この電極と電池１０７とは接続線１０９により接続されている。この電極に接触するように、電源ピン１０２が基板１０１上に形成されている。電池パック１０３の電極から、電源ピン１０２を介して基板１０１上に形成された回路などに電流が供給される。
【０００５】
図１９は、従来の携帯電話機の他の例を示す部分断面模式図であり、図２０は、従来の携帯電話機のもう一つの例を示す部分断面模式図である。
【０００６】
図１９を参照して、従来の携帯電話機の他の例は、図１６〜１８に示した携帯電話機とほぼ同様の構造を備えるが、受電部材として、導電体からなる板ばね状電極１１３を用いている。この板ばね状電極１１３は基板１０１上に配置されている。板ばね状電極１１３は、電池パック１０３の給電端子部材１０８上に形成された電極と接触する。電池パック１０３の電池１０７から、接続線１０９、給電端子部材１０８上の電極および板ばね状電極１１３を介して、基板１０１上に形成された回路に電流を供給できる。
【０００７】
また、図２０を参照して、従来の携帯電話機のもう一つの例は、図１６〜１８に示した携帯電話機とほぼ同様の構造を備えるが、受電部材として、コネクタ１１４とソケット１１５とを用いている。電池パック１０３には、そのパック外装部材１２８に接続線１０９を外部に引き出すための開口部が形成されている。この開口部にはブッシング１１６が配置されている。ブッシング１１６に形成された孔から接続線１０９が引き出されている。電池パック１０３の外部において、接続線１０９の先端部には、ソケット１１５が取り付けられている。ソケット１１５は、携帯電話機１２７の基板１０１上に形成されたコネクタ１１４に接続されている。電池パック１０３の電池１０７から、接続線１０９、ソケット１１５およびコネクタ１１４を介して、基板１０１上に形成された回路に電流を供給できる。
【０００８】
【発明が解決しようとする課題】
上記携帯電話機などの携帯機器については、その小型化、薄型化が強く望まれている。そのため、電池パック１０３を組み込んだ電源部の占有体積をできるだけ小さくすることが求められている。特に、最近では、電源部以外の部分については、回路基板やその他の部品の小型化が進む一方、電池については一定の電力量を確保する必要があるため、電池の小型化、薄型化の程度は他の部品に比べて進んでいない状況である。そのため、携帯機器における電源部の占める体積割合は大きくなってきている。携帯機器のさらなる小型化、薄型化が求められている現在、電源部以外の部品の小型化はほぼ限界に近づきつつあるため、電源部の占有体積の低減が特携帯機器の小型化、薄型化を図る上での重要な課題となってきている。
【０００９】
この発明は、上記のような課題を解決するために成されたものであり、この発明の目的は、携帯機器を小型化、薄型化することが可能な電池パックを提供することである。
【００１０】
この発明のもう一つの目的は、従来より小型化、薄型化することが可能な携帯機器を提供することである。
【００１１】
【課題を解決するための手段】
この発明の１の局面における電池パックは、電池とケースとリード線とコネクタとを備える。ケースは電池を収納し、表面に凹み部が形成されている。リード線は、電池からケースの外部へ電流を供給するとともに、ケースの凹み部にまで端部が到達可能である。コネクタはリード線の端部に接続される。
【００１２】
このようにすれば、携帯機器に本発明による電池パックを装着する場合、電極端子部材と接続される携帯機器の受電部材が、電池パックの凹み部に位置するように配置することができる。凹み部が形成されていない場合、受電部材の下部から、電池パックにおける受電部材とは反対側に位置する上部表面までの距離（電源部の高さ）は、受電部材の高さと電池パックの厚みとの合計の長さであった。しかし、電池パックに凹み部が形成されることにより、この凹み部に受電部材が部分的に挿入された状態となる。このため、受電部材の上に電池パックを配置する際、上記電源部の高さは、凹み部の深さ分だけ低くなる。つまり、受電部材が形成された基板などの表面から、電池パックの上部表面までの距離をより小さくできるので、電池パックが装着される携帯機器をより小型化、薄型化することができる。
【００１６】
また、単に電源ピンなどを電池パックの電極に押圧して接続する場合より携帯機器と電池パックとの接続強度を向上させることができる。したがって、携帯機器において電池パックの位置が衝撃などで変動する際、電池パックの位置変動により電池パックと携帯機器との電気的接続が遮断されるなどの不良の発生を防止できる。
【００１７】
上記１の局面における電池パックでは、前記ケースに、凹み部とは異なる位置に他の凹み部が形成されていてもよい。
【００１８】
この場合、電池パックを覆うカバーと携帯機器の筐体との接続部など、携帯機器の他の部分をこの他の凹み部に配置することができる。このため、受電部材と同様に、従来の方形の電池パックが占有していた領域に上記接続部を配置することができるので、携帯機器の小型化をより進めることができる。
【００１９】
上記１の局面における電池パックでは、ケースが一方端部と他方端部とを含んでいてもよい。一方端部には凹み部が形成されていてもよい。他方端部は一方端部とは反対側に位置する。他方端部には他の凹み部が形成されていてもよい。
【００２０】
この場合、凹み部と他の凹み部とを電池パックのそれぞれ別の端部に形成するので、この凹み部および他の凹み部の形状などを独立して決定できる。したがって、電池パックの設計の自由度を高めることができる。
【００２１】
上記１の局面における電池パックでは、凹み部と他の凹み部とはケースの端部に対向して形成されていてもよい。
【００２２】
この場合、受電部材と、電池パックを覆うカバーと携帯機器の筐体との接続部とが近接して配置された携帯機器において、受電部材が凹み部に、また上記接続部が他の凹み部に配置されるようにすることができる。したがって、受電部材と上記接続部が近接して配置されたような携帯機器に本発明による電池パックを容易に適用できる。
【００２３】
この発明の他の局面における携帯機器は、上記１の局面における電池パックを用いる。
【００２４】
この場合、電源ピンなどの受電部材と電池パックとをオーバーラップするように配置することができるので、従来より携帯機器の電源部の占有体積を小さくできる。したがって、従来より小型化、薄型化した携帯機器を得ることができる。
【００２５】
この発明の別の局面における携帯機器は、電池パックと受電コネクタとを備える。
受電コネクタは電池パックと対向して配置され、電池パックから電流を供給される。電池パックの表面には、受電コネクタと対向する領域において凹み部が形成されている（請求項８）。電池パックは、電池パックから携帯機器へ電流を供給するためのリード線と、リード線の端部に接続されたコネクタとを含む。受電コネクタにはコネクタが接続される。
【００２６】
このようにすれば、電池パックの凹み部に受電部材を挿入した状態とすることができるので、受電部材の下部から、電池パックにおける受電部材とは反対側に位置する上部表面までの距離を従来より小さくできる。したがって、電池パックと受電部材とからなる電源部の占有体積を従来より小さくできる。この結果、携帯機器を小型化、薄型化できる。
【００２８】
また、単に電源ピンなどを電池パックの電極に押圧して接続する場合より、携帯機器と電池パックとの接続強度を向上させることができる。したがって、携帯機器において電池パックの位置が衝撃などで変動する際、電池パックの位置変動により電池パックと携帯機器との電気的接続が遮断されるなどの不良の発生を防止できる。
【００３５】
上記別の局面における携帯機器は、筐体と蓋体とをさらに備えていてもよい。筐体は電池パックを収納する収納部を含むことが好ましい。蓋体は収納部に収納された電池パックを覆うように配置され、筐体と接続されることが好ましい。筐体と蓋体との接続部に対向する領域において、電池パックの表面には他の凹み部が形成されていることが好ましい。
【００３６】
この場合、携帯機器の上記接続部を電池パックの他の凹み部に配置することができる。このため、従来の方形の電池パックが占有していた領域に上記接続部を配置することができるので、携帯機器の小型化をより進めることができる。
【００３７】
上記別の局面における携帯機器では、電池パックが一方端部と他方端部とを含んでいてもよい。他方端部は一方端部と反対側に位置することが好ましい。一方端部には凹み部が形成されていてもよい。他方端部には他の凹み部が形成されていてもよい。
【００３８】
この場合、凹み部と他の凹み部とを電池パックのそれぞれ別の端部に形成するので、この凹み部に対向する受電部材および他の凹み部に対向する筐体と蓋体との接続部の形状などを独立して決定できる。したがって、携帯機器の設計の自由度を高めることができる。
【００３９】
上記別の局面における携帯機器では、凹み部と他の凹み部とが電池パックの端部に対向して形成されていてもよい。
【００４０】
この場合、受電部材と、筐体と蓋体との接続部とが近接して配置された携帯機器に本発明を容易に適用できる。
【００４１】
【発明の実施の形態】
以下、図面に基づいて本発明の実施の形態を説明する。なお、以下の図面において、同一または相当する部分には同一の参照番号を付し、その説明は繰り返さない。
【００４２】
（実施の形態１）
図１は、本発明による携帯電話機の実施の形態１を示す断面模式図である。図２は、図１に示した携帯電話機の電池パックが収納された部分をより詳細に示す部分断面模式図である。図３は、図１に示した携帯電話機に用いられる本発明による電池パックの部分分解組立斜視図である。図４は、図３の線分ＩＶ−ＩＶにおける断面模式図である。図１〜４を参照して、本発明による携帯電話機の実施の形態１を説明する。
【００４３】
図１〜４を参照して、携帯電話機２７は、筐体を構成する前部筐体３０および後部筐体５と、筐体内部に保持される基板１と、電池パック３と、電池パック３上に位置する蓋体としての電池部カバー部材４とを備える。携帯電話機２７の分解組立斜視図は、基本的に図１７に示した従来の携帯電話機の分解組立斜視図と同様である。
【００４４】
すなわち、前部筐体３０と後部筐体５とは、基板１を内部に保持するようにねじ（図示せず）により固定されている。後部筐体５の所定の位置にはキャップジャック（図示せず）が配置されている。後部筐体５には電池パック３を収納するための凹部が形成されている。この凹部に電池パック３が収納されている。電池パック３上には、電池部カバー部材４が配置されている。電池部カバー部材４は、凸部３３を後部筐体５のカバー取付部６に形成された開口部に嵌め込むことにより固定されている。
【００４５】
図３を参照して、電池パック３は、電池７と、基板としての給電端子部材８と、この給電端子部材８上に形成された電極（図示せず）に電池７から電流を供給するための接続線９と、電池７を収納するケースとしての基体２０と蓋体１８とからなるパック外装部材２８（図１参照）とを含む。電池パック３では、基体２０および蓋体１８とからなるパック外装部材２８の内部に電池７と給電端子部材８とが収納されている。
【００４６】
基体２０には凹み部１０が形成されている。この凹み部１０において、基体２０には開口部２２が形成されている。基体２０の内部において、開口部２２上に給電端子部材８が配置されている。給電端子部材８は固定部材２１により固定されている。給電端子部材８には、図４に示すようにその表面に導電体からなるランド２３と、導電体としてのピン接触部２４とが形成されている。ランド２３とピン接触部２４とは、給電端子部材８に形成されたスルーホール２５内に位置する導電体２６により電気的に接続されている。ランド２３と電池７の電極端子１９とは接続線９により電気的に接続されている。電池７から、電極端子１９、接続線９、ランド２３、導電体２６およびピン接触部２４を介して、このピン接触部２４に接触する電源ピン２に電流を供給する。このようにして、電池パック３から、電源ピン２を介して基板１上に形成された回路などに電流が供給される。
【００４７】
受電部材としての電源ピン２は、電池パック３と対向するように、基板１の表面に配置されている。電源ピン２は、内部にばねなどを有し、先端部を電池パック３のピン接触部２４に押圧可能になっている。電源ピン２を用いることで、電池パック３のピン接触部２４に電源ピン２を押圧すると言う比較的簡単な操作で、電池パック３と電源ピン２との接続を行なうことができる。電池パック３のケースとしての基体２０の表面には、電源ピン２と対向する領域において凹み部１０が形成されている。電極端子部材としての給電端子部材８はこの凹み部１０に配置されている。上述のように、給電端子部材８に形成されたピン接触部２４に電源ピン２は接続されている。
【００４８】
このようにすれば、電池パック３の凹み部１０に電源ピン２が位置する（電池パック３と電源ピン２との高さ方向の位置をオーバーラップさせる）ことになるので、電源ピン２が取り付けられた基板１の上部表面から、電池パック３における電源ピン２が位置する領域とは反対側に位置する上部表面までの距離を、図１８に示した従来の携帯電話機１２７での距離Ｌ０４より小さくできる。つまり、電源ピン２などの受電部材が対向する電池パック３から基板１までの距離Ｌ２は、従来の電源ピン１０２などの受電部材が対抗する電池パック１０３から基板１０１までの距離Ｌ０２（図１８参照）と変わらないが、基板１に電池パック３を従来より近づけて配置することが可能になる。したがって、本発明による携帯電話機では、電池パック３下に位置する後部筐体５の部分と基板１との間の距離Ｌ３および基板１から電池部カバー部材４の上部表面までの距離Ｌ１は、従来の携帯電話機におけるそれぞれに対応する距離Ｌ０３およびＬ０１より小さくなっている。また、距離Ｌ１が従来より小さくなっていることから、電池パック３が存在しない領域における基板１と筐体５の上部表面との間の距離Ｌ５も、従来の携帯電話機１２７の対応する距離Ｌ０５（図１８参照）より小さくできる。したがって、電池パック３と電源ピン２とからなる電源部の占有体積を従来より小さくできる。この結果、携帯電話機２７を小型化、薄型化できる。
【００４９】
また、上述のように基板としての給電端子部材８を凹み部１０に設置しているので、電源ピン２は必然的に凹み部１０に配置することになる。つまり、確実に電源ピン２などの受電部材を凹み部１０に配置することができる。この結果、距離Ｌ１、３〜５を確実に従来より小さくすることができるので、携帯電話機を小型化、薄型化できる。
【００５０】
また、図１および２に示すように、本発明による携帯電話機２７は、電池パック３のケースとしてのパック外装部材２８において、凹み部１０とは異なる位置に他の凹み部１１が形成されている。他の凹み部１１は、電池パック３の凹み部１０が形成された一方端部とは反対側に位置する他方端部に形成されている。他の凹み部１１は、電池部カバー部材４と後部筐体５との接続部であるカバー取付部６に対向する領域に位置している。
【００５１】
このようにすれば、カバー取付部６に対向する領域において、電池パック３の上部表面（他の凹み部１１の底部）と基板１との間の距離Ｌ４を、従来より小さくできる。そして、携帯電話機の上記カバー取付部６を電池パック３の他の凹み部１１に配置することができる。このため、従来の方形の電池パック１０３（図１８参照）が占有していた領域にカバー取付部６を配置することができる。このため、基板１から筐体５までの距離Ｌ５を、従来の携帯電話機における基板１０１から筐体１０５までの距離Ｌ０５（図１８参照）より小さくできる。したがって、携帯電話機をより小型化するという効果を得ることができる。
【００５２】
また、凹み部１０と他の凹み部１１とを電池パック３のそれぞれ別の端部に形成するので、凹み部１０および他の凹み部１１の形状、あるいは凹み部１０に対向する電源ピン２および他の凹み部１１に対向するカバー取付部６の形状などを独立して決定できる。したがって、電池パック３および携帯電話機の設計の自由度を高めることができる。
【００５３】
図１および２に示した携帯電話機２７では、図１６に示した従来の携帯電話機と比較すると、厚さを約１０％薄くすることができる。
【００５４】
（実施の形態２）
図５は、本発明による携帯電話機の実施の形態２を示す部分断面模式図である。図５は、本発明の実施の形態１において図２に示した携帯電話機の部分断面模式図に対応する。
【００５５】
図５を参照して、携帯電話機２７は、筐体を構成する前部筐体（図示せず）および後部筐体５と、この筐体内部に保持される基板１と、電池パック３と、電池パック３上に位置する蓋体としての電池部カバー部材４とを備える。本発明による携帯電話機２７は、基本的に図１〜４に示した本発明の実施の形態１と同様の構造を備えている。すなわち、前部筐体と後部筐体５とは、基板１を内部に保持するようにねじ（図示せず）により固定されている。後部筐体５の所定の位置にはキャップジャック（図示せず）が配置されている。後部筐体５には電池パック３を収納するための凹部が形成されている。この凹部に電池パック３が収納されている。電池パック３上には、上述のように電池部カバー部材４が配置されている。電池部カバー部材４は、凸部３３を後部筐体５のカバー取付部６に形成された開口部に嵌め込むことにより固定されている。
【００５６】
電池パック３のケースとしてのパック外装部材２８の表面には、電源ピン２と対向する領域において凹み部１０が形成されている。電極端子部材としての給電端子部材８はこの凹み部１０に配置されている。給電端子部材８に形成されたピン接触部２４に電源ピン２は接続されている。
【００５７】
このようにすれば、電池パック３の凹み部１０に電源ピン２が位置する（電池パック３と電源ピン２との高さ方向の位置をオーバーラップさせる）ことになるので、電源ピン２が取り付けられた基板１の上部表面から、電池パック３における電源ピン２が位置する領域とは反対側に位置する上部表面までの距離Ｌ４を、図１８に示した従来の携帯電話機１２７での距離Ｌ０４より小さくできる。つまり、電源ピン２などの受電部材が対向する電池パック３から基板１までの距離Ｌ２は、従来の電源ピン１０２などの受電部材が対抗する電池パック１０３から基板１０１までの距離Ｌ０２（図１８参照）と変わらないが、基板１に電池パック３を従来より近づけて配置することが可能になる。したがって、本発明の実施の形態１による携帯電話機と同様に、携帯電話機２７を小型化、薄型化できる。
【００５８】
また、上述のように基板としての給電端子部材８を凹み部１０に設置しているので、電源ピン２は必然的に凹み部１０に配置することになる。つまり、確実に電源ピン２などの受電部材を凹み部１０に配置することができる。この結果、距離Ｌ１、３〜５を確実に従来より小さくすることができるので、携帯電話機を小型化、薄型化できる。
【００５９】
（実施の形態３）
図６は、本発明による携帯電話機の実施の形態３を示す部分断面模式図である。図６は、本発明の実施の形態１において図２に示した携帯電話機の部分断面模式図に対応する。図６を参照して、本発明による携帯電話機の実施の形態３を説明する。
【００６０】
図６を参照して、携帯電話機２７は基本的に本発明の実施の形態２による携帯電話機と同様の構造を備える。ただし、図６に示した携帯電話機では、受電部材として板ばね状電極１３が用いられている。板ばね状電極１３の材質としては、金属などの導電体を用いることができる。
【００６１】
この場合、本発明による携帯電話機の実施の形態２により得られる効果に加えて、電池パック３の給電端子部材８上に形成された電極に板ばね状電極１３を押圧すると言う比較的簡単な操作で、電池パック３と板ばね状電極１３との接続を行なうことができる。また、板ばね状電極１３は電源ピン２（図１参照）などより比較的構造が簡単であるため、携帯電話機の製造コストを低減できる。
【００６２】
（実施の形態４）
図７は、本発明による携帯電話機の実施の形態４を示す部分断面模式図である。図７は、本発明の実施の形態１において図２に示した携帯電話機の部分断面模式図に対応する。図７を参照して、本発明による携帯電話機の実施の形態４を説明する。
【００６３】
図７を参照して、携帯電話機は基本的に本発明の実施の形態２による携帯電話機と同様の構造を備える。ただし、図７に示した携帯電話機では、受電部材として受電コネクタ１４が用いられている。また、電池パック３では、給電端子部材８（図５参照）に代えてリード線としての接続線９の先端部にコネクタ１５が配置されている。電池パック３には、そのパック外装部材２８に接続線９を外部に引き出すための開口部が形成されている。この開口部にはブッシング１６が配置されている。ブッシング１６に形成された孔から接続線９が引き出されている。コネクタ１５は接続線９を介して電池７と電気的に接続されている。受電部材としての受電コネクタ１４は電池パック３の凹み部１０下に位置している。コネクタ１５は受電コネクタ１４に接続されている。
【００６４】
この場合、本発明の実施の形態２による携帯電話機と同様の効果が得られると同時に、単に電源ピン２などを電池パック３の電極に押圧して接続する場合より携帯電話機と電池パック３との接続強度を向上させることができる。したがって、携帯電話機において電池パック３の位置が衝撃などで変動する際、電池パック３の位置変動により電池パック３と携帯電話機との電気的接続が遮断されるなどの不良の発生を防止できる。
【００６５】
（実施の形態５）
図８は、本発明による携帯電話機の実施の形態５を示す部分断面模式図である。図８は、本発明の実施の形態１において図２に示した携帯電話機の部分断面模式図に対応する。図８を参照して、本発明による携帯電話機の実施の形態５を説明する。
【００６６】
図８を参照して、携帯電話機は基本的に本発明の実施の形態２による携帯電話機と同様の構造を備える。ただし、図８に示した携帯電話機では、電源ピン２がカバー取付部６に近い領域（図５に示した携帯電話機における電源ピン２の位置とは反対側の領域）に配置されている。この場合、本発明の実施の形態２による携帯電話機による効果と同様の効果を得ることができる。
【００６７】
（実施の形態６）
図９は、本発明による携帯電話機の実施の形態６を示す部分断面模式図である。図９は、本発明の実施の形態１において図２に示した携帯電話機の部分断面模式図に対応する。図９を参照して、本発明による携帯電話機の実施の形態６を説明する。
【００６８】
図９を参照して、携帯電話機は基本的に本発明の実施の形態３による携帯電話機と同様の構造を備える。ただし、図９に示した携帯電話機では、板ばね状電極１３がカバー取付部６に近い領域（図６に示した携帯電話機における板ばね状電極１３の位置とは反対側の領域）に配置されている。この場合、本発明の実施の形態３による携帯電話機による効果と同様の効果を得ることができる。
【００６９】
（実施の形態７）
図１０は、本発明による携帯電話機の実施の形態７を示す部分断面模式図である。図１０は、本発明の実施の形態１において図２に示した携帯電話機の部分断面模式図に対応する。図１０を参照して、本発明による携帯電話機の実施の形態７を説明する。
【００７０】
図１０を参照して、携帯電話機は基本的に本発明の実施の形態３による携帯電話機と同様の構造を備える。ただし、図１０に示した携帯電話機では、受電コネクタ１４がカバー取付部６に近い領域（図７に示した携帯電話機における受電コネクタ１４の位置とは反対側の領域）に配置されている。この場合、本発明の実施の形態４による携帯電話機による効果と同様の効果を得ることができる。
【００７１】
（実施の形態８）
図１１は、本発明による携帯電話機の実施の形態８を示す部分断面模式図である。図１１は、本発明の実施の形態１において図２に示した携帯電話機の部分断面模式図に対応する。図１１を参照して、本発明による携帯電話機の実施の形態８を説明する。
【００７２】
図１１を参照して、携帯電話機は、基本的に本発明による携帯電話機の実施の形態１と同様の構造を備える。しかし、図１１に示した携帯電話機では、受電部材として電源ピン２ではなく板ばね状電極１３を用いている。このため、本発明の実施の形態１による効果に加えて、本発明の実施の形態３と同様に、電池パック３の給電端子部材８上に形成された電極に板ばね状電極１３を押圧すると言う比較的簡単な操作で、電池パック３と板ばね状電極１３との接続を行なうことができる。また、板ばね状電極１３は電源ピン２（図１参照）などより比較的構造が簡単であるため、携帯電話機の製造コストを低減できる。
【００７３】
（実施の形態９）
図１２は、本発明による携帯電話機の実施の形態９を示す部分断面模式図である。図１２は、本発明の実施の形態１において図２に示した携帯電話機の部分断面模式図に対応する。図１２を参照して、本発明による携帯電話機の実施の形態９を説明する。
【００７４】
図１２を参照して、携帯電話機は、基本的に本発明による携帯電話機の実施の形態１と同様の構造を備える。しかし、図１２に示した携帯電話機では、本発明の実施の形態４と同様に、受電部材としての受電コネクタ１４が用いられている。また、電池パック３では、接続線９の先端部にコネクタ１５が配置されている。コネクタ１５は接続線９を介して電池７と電気的に接続されている。受電コネクタ１４は電池パック３の凹み部１０下に位置している。コネクタ１５は受電コネクタ１４に接続されている。
【００７５】
このため、本発明の実施の形態１による効果に加えて、本発明の実施の形態４と同様に、携帯電話機と電池パック３との接続強度を向上させることができる。したがって、携帯電話機において電池パック３の位置が外部からの衝撃などで変動する際、電池パック３の位置変動により電池パック３と携帯電話機との電気的接続が遮断されるといった不良の発生を防止できる。
【００７６】
（実施の形態１０）
図１３は、本発明による携帯電話機の実施の形態１０を示す部分断面模式図である。図１３は、本発明の実施の形態１において図２に示した携帯電話機の部分断面模式図に対応する。図１３を参照して、本発明による携帯電話機の実施の形態１０を説明する。
【００７７】
図１３を参照して、携帯電話機は、基本的に本発明の実施の形態１による携帯電話機と同様の構造を備える。ただし、図１３に示した携帯電話機では、電源ピン２がカバー取付部６に近い領域（図２に示した携帯電話機における電源ピン２の位置とは反対側の領域）に配置されている。このため、電池パック３では、パック外装部材２８の端部に凹み部１７と他の凹み部１１とが対向して形成されている。
【００７８】
この場合、図１３に示したような、受電部材としての電源ピン２とカバー取付部６とが近接して配置されている携帯電話機において、本発明の実施の形態１による携帯電話機により得られる効果と同様の効果を得ることができる。
【００７９】
（実施の形態１１）
図１４は、本発明による携帯電話機の実施の形態１１を示す部分断面模式図である。図１４は、本発明の実施の形態１において図２に示した携帯電話機の部分断面模式図に対応する。図１４を参照して、本発明による携帯電話機の実施の形態１１を説明する。
【００８０】
図１４を参照して、携帯電話機は、基本的に本発明の実施の形態８による携帯電話機と同様の構造を備える。ただし、図１４に示した携帯電話機では、板ばね状電極１３がカバー取付部６に近い領域（図１１に示した携帯電話機における板ばね状電極１３の位置とは反対側の領域）に配置されている。このため、電池パック３では、本発明の実施の形態１０による携帯電話機と同様にパック外装部材２８の端部に凹み部１７と他の凹み部１１とが対向して形成されている。
【００８１】
この場合、図１４に示したような、受電部材としての板ばね状電極１３とカバー取付部６とが近接して配置されている携帯電話機において、本発明の実施の形態８による携帯電話機により得られる効果と同様の効果を得ることができる。
【００８２】
（実施の形態１２）
図１５は、本発明による携帯電話機の実施の形態１２を示す部分断面模式図である。図１５は、本発明の実施の形態１において図２に示した携帯電話機の部分断面模式図に対応する。図１５を参照して、本発明による携帯電話機の実施の形態１２を説明する。
【００８３】
図１５を参照して、携帯電話機は、基本的に本発明の実施の形態９による携帯電話機と同様の構造を備える。ただし、図１５に示した携帯電話機では、受電コネクタ１４がカバー取付部６に近い領域（図１２に示した携帯電話機における受電コネクタ１４の位置とは反対側の領域）に配置されている。また、電池パック３は、本発明による携帯電話機の実施の形態７と同様に接続線９とコネクタ１５とを備える。コネクタ１５は接続線９の先端部に接続されている。電池パック３では、本発明の実施の形態１０による携帯電話機と同様にパック外装部材２８の端部に凹み部１７と他の凹み部１１とが対向して形成されている。
【００８４】
この場合、図１５に示したような、受電部材としての受電コネクタ１４とカバー取付部６とが近接して配置されている携帯電話機において、本発明の実施の形態９による携帯電話機により得られる効果と同様の効果を得ることができる。
【００８５】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【００８６】
【発明の効果】
本発明によれば、電池パックに凹み部を設けて、その凹み部に電源ピンなどの受電部材を配置することにより、携帯機器の小型化、薄型化を図ることができる。
【図面の簡単な説明】
【図１】  本発明による携帯電話機の実施の形態１を示す断面模式図である。
【図２】  図１に示した携帯電話機の電池パックが収納された部分をより詳細に示す部分断面模式図である。
【図３】  図１に示した携帯電話機に用いられる本発明による電池パックの部分分解組立斜視図である。
【図４】  図３の線分ＩＶ−ＩＶにおける断面模式図である。
【図５】  本発明による携帯電話機の実施の形態２を示す部分断面模式図である。
【図６】  本発明による携帯電話機の実施の形態３を示す部分断面模式図である。
【図７】  本発明による携帯電話機の実施の形態４を示す部分断面模式図である。
【図８】  本発明による携帯電話機の実施の形態５を示す部分断面模式図である。
【図９】  本発明による携帯電話機の実施の形態６を示す部分断面模式図である。
【図１０】  本発明による携帯電話機の実施の形態７を示す部分断面模式図である。
【図１１】  本発明による携帯電話機の実施の形態８を示す部分断面模式図である。
【図１２】  本発明による携帯電話機の実施の形態９を示す部分断面模式図である。
【図１３】  本発明による携帯電話機の実施の形態１０を示す部分断面模式図である。
【図１４】  本発明による携帯電話機の実施の形態１１を示す部分断面模式図である。
【図１５】  本発明による携帯電話機の実施の形態１２を示す部分断面模式図である。
【図１６】  従来の携帯機器の例としての携帯電話機を示す断面模式図である。
【図１７】  図１６に示した携帯電話機の分解組立斜視図である。
【図１８】  図１６および１７に示した携帯電話機の部分断面模式図である。
【図１９】  従来の携帯電話機の他の例を示す部分断面模式図である。
【図２０】  従来の携帯電話機のもう一つの例を示す部分断面模式図である。
【符号の説明】
１  基板、２  電源ピン、３  電池パック、４  電池部カバー部材、５  後部筐体、６  カバー取付部、７  電池、８  給電端子部材、９  接続線、１０，１１，１７  凹み部、１３  板ばね状電極、１４  受電コネクタ、１５  コネクタ、１６  ブッシング、１８  蓋体、１９  電極端子、２０  基体、２１  固定部材、２２  開口部、２３  ランド、２４  ピン接触部、２５  スルーホール、２６  導電体、２７  携帯電話機、２８  パック外装部材、３０  前部筐体。
【図１】
0003814471.tif 000002
【図２】
0003814471.tif 000003
【図３】
0003814471.tif 000004
【図４】
0003814471.tif 000005
【図５】
0003814471.tif 000006
【図６】
0003814471.tif 000007
【図７】
0003814471.tif 000008
【図８】
0003814471.tif 000009
【図９】
0003814471.tif 000010
【図１０】
0003814471.tif 000011
【図１１】
0003814471.tif 000012
【図１２】
0003814471.tif 000013
【図１３】
0003814471.tif 000014
【図１４】
0003814471.tif 000015
【図１５】
0003814471.tif 000016
【図１６】
0003814471.tif 000017
【図１７】
0003814471.tif 000018
【図１８】
0003814471.tif 000019
【図１９】
0003814471.tif 000020
【図２０】
0003814471.tif 000021